(57)【特許請求の範囲】
【請求項１】
住戸の玄関等に設置され、呼出ボタン及び試験端子を有するドアホンであって、
本体内の前記試験端子を覆うように試験端子カバーを設け、該試験端子カバーで前記呼出ボタンの周囲を囲繞する構成としたことを特徴とするドアホン。
【請求項２】
前記試験端子カバーに、四角形の開口を設け、前記呼出ボタンが前記開口に嵌り込んで同一平面になるように構成し、前記開口の上下部に、凹部を形成したことを特徴とする請求項１記載のドアホン。
【請求項３】
前記本体に長方形の凹陥部を設け、該凹陥部に前記試験端子及び呼出ボタンを配置し、前記凹陥部に試験端子カバーに形成した支持体を回動可能に枢支させたことを特徴とする請求項１記載のドアホン。
【請求項４】
前記本体に取り付けられ、内部にプリント基板を収容する裏カバーと、前記プリント基板に設けられ、配線が接続される配線挿入孔を有する接続端子とを備え、前記裏カバーに、前記接続端子を露出する開口部と接続端子の少なくとも上方を覆う防水壁とを設け、前記接続端子の配線挿入孔がほぼ真下を向くように、前記接続端子を前記プリント基板に取付けたことを特徴とする請求項１記載のドアホン。
【請求項５】
住戸の玄関等に設置され、呼出ボタンを有するドアホンであって、
本体に取り付けられ、内部にプリント基板を収容する裏カバーと、前記プリント基板に設けられ、配線が接続される配線挿入孔を有する接続端子とを備え、
前記裏カバーに、前記接続端子を露出する開口部と接続端子の少なくとも上方を覆う防水壁とを設け、前記接続端子の配線挿入孔がほぼ真下を向くように、前記接続端子を前記プリント基板に取付けたことを特徴とするドアホン。
【発明の詳細な説明】
【０００１】
【発明の属する技術分野】
本発明は住戸の玄関先等に設置されるドアホンに関するものである。
【０００２】
【従来の技術】
例えば特開平１０−２６９４８３号公報に開示されている従来のドアホンにおいては、呼び出しのための呼出ボタンが下部に設けられており、また、戸外からドアホンに接続された火災感知器の動作点検を行うための試験端子が上部の位置に設けられている。さらに、呼出ボタンが前面の周囲から単独に突出するように設けられている。
【０００３】
【発明が解決しようとする課題】
上記のような従来のドアホンでは、本体の表面上に呼出ボタンと試験端子の両方が存在するため、試験端子の存在が誰にでもわかってしまい、点検者以外の者が試験端子を悪戯する恐れがあるという問題点がある。また表面のスペースも限られているので、美観上好ましくない。更に呼出ボタンは表面から突出しているため、ボールなどがぶつかったりするなどして、簡単に誤動作を起こしてしまうという問題点がある。
【０００４】
【課題を解決するための手段】
本発明は、住戸の玄関等に設置され、呼出ボタン及び試験端子を有するドアホンであって、本体内の前記試験端子を覆うように試験端子カバーを設け、該試験端子カバーで前記呼出ボタンの周囲を囲繞する構成としたものである。
【０００５】
また、上記の試験端子カバーに、四角形の開口を設け、前記呼出ボタンが前記開口に嵌り込んで同一平面になるように構成し、前記開口の上下部に、凹部を形成した。
【０００７】
また、上記の本体に長方形の凹陥部を設け、該凹陥部に前記試験端子及び呼出ボタンを配置し、前記凹陥部に試験端子カバーに形成した支持体を回動可能に枢支させた。
【０００９】
また、上記の本体に取り付けられ、内部にプリント基板を収容する裏カバーと、前記プリント基板に設けられ、配線が接続される配線挿入孔を有する接続端子とを備え、前記裏カバーに、前記接続端子を露出する開口部と接続端子の少なくとも上方を覆う防水壁とを設け、前記接続端子の配線挿入孔がほぼ真下を向くように、前記接続端子を前記プリント基板に取付けた。
【００１１】
本発明は、住戸の玄関等に設置され、呼出ボタンを有するドアホンであって、本体に取り付けられ、内部にプリント基板を収容する裏カバーと、前記プリント基板に設けられ、配線が接続される配線挿入孔を有する接続端子とを備え、前記裏カバーに、前記接続端子を露出する開口部と接続端子の少なくとも上方を覆う防水壁とを設け、前記接続端子の配線挿入孔がほぼ真下を向くように、前記接続端子を前記プリント基板に取付けたものである。
【００１３】
【発明の実施の形態】
図１〜図５は本発明の実施の形態を示す正面図、背面図、側面図、平面図および底面図である。図において、１はドアホンの正面部分を構成する方形の本体、２は本体１に取り付けられ部品類を内装して保護する裏カバー、３は本体の裏側と一体化するベースで何れも合成樹脂成型品である。
【００１４】
前記本体１は、表側に横長に複数本の音響用の凹溝１ａが設けられている。また、前記凹溝１ａの中央の１本には、大きさが凹溝１ａと同幅の高さで例えば２倍の幅に形成された透明な樹脂製のＬＥＤカバー６が、所望間隔に本体１の表側から突出するように、通電確認用および警報表示用として２個填め込まれている。
さらに、前記本体１はほぼ中間の位置から下端部にかけての中央へ縦長に形成した長方形の凹陥部１ｂが設けられ、試験端子７および呼出ボタン５を縦列配置しているが、この凹陥部１ｂに試験端子カバー４を配設している。
【００１５】
前記裏カバー２は、プリント基板等の部品類を格納保護し、本体１の裏側に取り外し可能にネジ２ｂで固定される。この裏カバー２の下部には、視認可能に設けられている複数の接続端子２ａの周囲を囲繞するように突き出した部分の上端面２ｃが、斜面で屋根状に形成され、落下する雨露を両側に振り分けて流し去り、前記接続端子２ａを雨露から保護するようになっている。
即ち、裏カバー２の下部には、接続端子２ａだけを露出できる開口部２ｅと、開口部２ｅの上方及び側方に設けられ、接続端子２ａを覆う防水壁２ｆとが設けられている。
【００１６】
裏カバー２の内側には、プリント基板１０（図６の点線部分）が収容され、接続端子２ａはプリント基板１０に設けられる。接続端子２ａは、配線Ｈが接続される配線挿入孔２ｇを有するものであり、この配線挿入孔２ｇがほぼ真下を向くように、接続端子２ａは、プリント基板１０に取付られている。このようにすることで、配線Ｈは、本体１と平行に配設され、防水壁２ｆからはみださないので、水滴が配線Ｈを伝って、接続端子２ａなどに浸入するのを防止できる。
なお、プリント基板１０には、通電確認用と警報表示用のＬＥＤ１０ａが取り付けられており、これらＬＥＤ１０ａは、凹溝１ａの本体内側に位置するように、プリント基板１０に設けられる。
【００１７】
前記ベース３は、本体１の周囲と整合する枠状に成形され、前記裏カバー２が通り抜けられるようになっており、本体１の上部を爪１ｃで掛け、下部をネジ穴１ｄにビスをねじ込み、取り外し可能に固定する。前記ネジ穴１ｄにねじ込んだビスは試験端子カバー４で隠蔽される位置に設けられている。
このベース３は、家屋等の建築物の所望位置へ、ネジ穴３ａに通したビス等で固定する。
【００１８】
前記試験端子カバー４は、表面が本体１の表側から突出するように設けられ、開口４ａが四角形に設けられ、呼出ボタン５が開口４ａに嵌り込んで同一平面となるようように構成されている。すなわち、呼出ボタン５は試験端子カバー４で周囲を囲繞する状態が形成される。
なお、前記開口４ａの上下部は、円弧にすくい取って図６に示すような凹部４ｂが形成されているので、呼出ボタン５の意識的に実行される押圧動作に、違和感が生じないように構成されている。
【００１９】
前記試験端子カバー４は、表面が本体１の表側から突出しているが、上側がくの字状に屈曲して本体１の表側から没するようになっており、雨露が裏側に回り込むのを防止できる。
また、試験端子カバー４は、試験端子７と対峙する位置に軟質発泡樹脂４ｄ例えばポリウレタンを貼付して試験端子を封止するようにしている。
さらに、試験端子カバー４は、上部の屈曲位置に隣接して内部に向かって鉤の手状に伸びる支持体４ｃの先端部を前記凹陥部１ｂの側壁に回動可能に枢支し、回動させて開いたとき、上端が凹陥部１ｂの底に設けた突起１ｅを乗り越えさせて戻りを防止している。
また試験端子カバー４の下端には、突起４ｅが設けられ、その突起４ｅは、試験端子カバー４が閉じている状態においては、本体１の下端に設けた窪みに係止しており、何らかの衝撃がかかっても、開いたりすることがなく、試験端子７を保護できる。
【００２０】
なお、試験端子カバー４は、回動限界では凹陥部１ｂの底と壁とが交叉する角部に当接するとともに、支持体４ｃの付け根から離れた位置が凹陥部１ｂの開口縁部に当接する３点で支えるように構成して破損し難いものとしている。
上記のように開閉を上開きとした試験端子カバー４は、試験時に試験器から伸びるコードで押し下げて破損するのを回避できる。
また試験端子カバー４を手で抑える必要がないので、試験作業を行いやすい。
【００２１】
前記凹溝１ａのほぼ中央の１本へ本体１の表側から突出して、所望間隔に２個填め込まれ、大きさが凹溝１ａと同幅の高さでほぼ２倍の幅に透明な樹脂で構成されているＬＥＤカバー６は、光が表側に突出した部分からだけでなく、凹溝１ａ内に至る部分からも発光するので、内部のＬＥＤ１０ａから発した光量が増すばかりでなく、側方からの視認性も良好である。
【００２２】
前記ＬＥＤカバー６を埋め込むために凹溝１ａへ設けた開口は、図７のＨ−Ｈ断面に示すように凹溝１ａを掘り下げた据え付け座および裏側へ所望長さに延在させたガイド部１ｆを設けている。前記凹溝１ａに埋め込まれるＬＥＤカバー６は、詳細を図８に示すように平行している脚部６ａの中間へ、付け根に向かって外側に厚くなる楔状段部を設けている。
従って、ＬＥＤカバー６は、図９に示すように凹溝１ａへ設けた開口に、脚部６ａを差し込むと、ガイド部１ｆ端と段部６ｂとが噛み合って係止される。
なお、ＬＥＤカバー６は、プリント基板１０に取り付けられたＬＥＤ１０ａに対向するように、凹溝１ａ内に埋め込まれ、かつその先端が本体表側から突出するように設けられる。このようにＬＥＤカバー６を設けることで、ＬＥＤカバー６がライトガイドの作用をなし、確実にＬＥＤ１０ａの光を本体表側に導くことができる。
【００２３】
前記本体１の表側に横長に設けられた複数本の凹溝１ａの一部は、図１０に示すように音声伝達用として裏側と連通している。この連通している開口は、クランク状断面を縦に連ねた上下端部間に設けた隙間構造としたので、開口１ａが内部に堰を設けた状態となる。
【００２４】
【発明の効果】
以上のように本発明によれば、次のような効果が得られる。
（１）本体内の試験端子を覆うように設けられた試験端子カバーで呼出ボタンの周囲を囲繞する構成としたので、不用意に押圧されても、押圧力が阻止されるので、誤動作を防止できる。
（２）プリント基板に配線が接続される配線挿入孔を有する接続端子を設け、裏カバーにこの接続端子を露出する開口部と接続端子の上方を覆う防水壁を設け、接続端子の配線挿入孔がほぼ真下を向くように接続端子をプリント基板に設置したので、防水壁によって接続端子に水滴が直接ふりかかるのを防止できる。また配線挿入孔に接続される配線は真下に延びるので、配線を伝って間接的に水滴が接続端子などに侵入するのも防止できる。
【図面の簡単な説明】
【図１】本発明の実施の形態を示す正面図である。
【図２】本発明の実施の形態を示す背面図である。
【図３】本発明の実施の形態を示す側面図である。
【図４】本発明の実施の形態を示す平面図である。
【図５】本発明の実施の形態を示す底面図である。
【図６】本発明の実施の形態を示す縦断面図である。
【図７】本発明の実施の形態の本体を示す正面図および各部横断面図である。
【図８】ＬＥＤカバーを示す正面図、側面図、平面図および底面図である。
【図９】図６のＡ−Ａ矢視を示す断面図である。
【図１０】図７のＡ部を示す拡大図である。
【符号の説明】
１    本体
１ａ  凹溝
１ｂ  凹陥部
１ｃ  爪
１ｄ  ネジ穴
１ｅ  突起
１ｆ  ガイド部
２    裏カバー
２ａ  接続端子
２ｂ  ネジ
２ｃ  上端面
２ｅ  開口部
２ｆ  防水壁
２ｇ  配線挿入口
３    ベース
３ａ  ネジ穴
４    試験端子カバー
４ａ  開口
４ｂ  凹部
４ｃ  支持体
４ｄ  軟質発泡樹脂
４ｅ  突起
５    呼出ボタン
６    ＬＥＤカバー
１０  プリント基板
Ｈ  配線
【図１】
0003665948.tif 000002
【図２】
0003665948.tif 000003
【図３】
0003665948.tif 000004
【図４】
0003665948.tif 000005
【図５】
0003665948.tif 000006
【図６】
0003665948.tif 000007
【図７】
0003665948.tif 000008
【図８】
0003665948.tif 000009
【図９】
0003665948.tif 000010
【図１０】
0003665948.tif 000011